(57)【特許請求の範囲】
【請求項１】
携帯端末装置と、前記携帯端末装置に対して楽曲情報を配信する楽曲配信装置とを含んだ楽曲配信システムであって、
前記楽曲配信装置は、
楽曲情報と当該楽曲情報が再生された際の位置情報を含む再生履歴情報とを記憶する楽曲記憶手段と、
前記携帯端末装置から受信した再生情報に基づいて、前記再生履歴情報を更新する更新処理手段と、
前記携帯端末装置から楽曲情報の配信要求を受けた場合に、配信要求に含まれる位置情報に基づく前記携帯端末装置の位置で流行している楽曲を、前記再生履歴情報に基づいて前記楽曲記憶手段に記憶された楽曲情報の中から選択する楽曲選択手段と、
前記楽曲選択手段によって選択された楽曲情報を前記携帯端末装置へ配信する楽曲配信手段と
を備え、
前記携帯端末装置は、
位置情報を取得する位置情報取得手段と、
楽曲再生機能を備えた車載装置との間で通信リンクを確立させる連携手段と、
前記連携手段によって前記車載装置との間で通信リンクが確立した場合に、前記位置情報取得手段によって取得された位置情報を含んだ前記配信要求を前記楽曲配信装置へ送信する配信要求手段と、
前記楽曲配信装置から配信された楽曲情報を再生させる再生処理手段と、
楽曲情報の再生を行った場合に、当該再生した楽曲情報の識別情報と再生した際の位置情報とを含む前記再生情報を前記楽曲配信装置に送信する履歴送信手段と
を備え、
前記履歴送信手段は、
前記連携手段によって前記車載装置との間で通信リンクが確立された時刻および前記位置情報を含んだ行動パターン情報を前記楽曲配信装置に対して送信し、
前記楽曲配信装置は、
前記履歴送信手段によって送信される行動パターン情報に基づいて前記携帯端末装置のユーザの乗車予想時刻および乗車予想位置を学習する学習手段
をさらに備え、
前記楽曲配信装置の楽曲選択手段は、
前記学習手段によって学習された乗車予想時刻または当該乗車予想時刻よりも所定時間早い時刻が到来した場合に、前記学習手段によって学習された乗車予想位置の位置情報と関連付けられた楽曲情報を前記楽曲記憶手段に記憶された楽曲情報の中から選択することを特徴とする楽曲配信システム。
【請求項２】
前記履歴送信手段は、
前記連携手段によって確立された通信リンクが解除された時刻を含んだ行動パターン情報を前記楽曲配信装置に対してさらに送信し、
前記学習手段は、
前記通信リンクが確立された時刻および解除された時刻に基づいて前記携帯端末装置のユーザの乗車予想時間を学習し、
前記楽曲選択手段は、
前記携帯端末装置から前記配信要求を受けた場合に、当該携帯端末装置の位置情報と関連付けられた楽曲情報の中から、前記学習手段によって学習された乗車予想時間に応じた数の楽曲情報をさらに選択することを特徴とする請求項１に記載の楽曲配信システム。
【請求項３】
前記再生履歴情報は、前記位置情報と前記携帯端末装置のユーザの属性情報とを含み、
前記楽曲選択手段は、前記携帯端末装置の位置において、前記配信要求に含まれるユーザの属性情報に属するユーザ間で流行している楽曲を、前記再生属性情報に基づいて選択することを特徴とする請求項１または２に記載の楽曲配信システム。
【請求項４】
前記車載装置は、
前記携帯端末装置との間で通信リンクが確立された場合に、前記車載装置を識別する車載装置識別情報を前記携帯端末装置へ送信し、
前記携帯端末装置の配信要求手段は、
前記車載装置から受信した車載装置識別情報および前記位置情報取得手段によって取得された位置情報を含んだ配信要求を前記楽曲配信装置に対して送信し、
前記楽曲配信装置の楽曲選択手段は、
前記携帯端末装置から前記配信要求を受けた場合に、当該携帯端末装置の位置情報と関連付けられた楽曲情報の中から、当該携帯端末装置を識別する携帯端末識別情報および前記配信要求に含まれる車載装置識別情報の組合せに応じた楽曲情報をさらに選択することを特徴とする請求項１〜３の何れか一つに記載の楽曲配信システム。
【請求項５】
携帯端末装置に対して楽曲情報を配信する楽曲配信装置であって、
楽曲情報と当該楽曲情報が再生された際の位置情報を含む再生履歴情報とを記憶する楽曲記憶手段と、
前記携帯端末装置によって再生された楽曲情報の識別情報と再生された際の位置情報とを含む再生情報に基づいて前記再生履歴情報を更新する更新処理手段と、
前記携帯端末装置から楽曲情報の配信要求を受けた場合に、配信要求に含まれる位置情報に基づく前記携帯端末装置の位置で流行している楽曲を、前記再生履歴情報に基づいて前記楽曲記憶手段に記憶された楽曲情報の中から選択する楽曲選択手段と、
前記楽曲選択手段によって選択された楽曲情報を前記携帯端末装置へ配信する楽曲配信手段と、
前記携帯端末装置によって送信される、前記携帯端末装置が車載装置との間で通信リンクが確立された時刻および前記位置情報を含んだ行動パターン情報に基づいて前記携帯端末装置のユーザの乗車予想時刻および乗車予想位置を学習する学習手段と
を備え、
前記楽曲選択手段は、
前記学習手段によって学習された乗車予想時刻または当該乗車予想時刻よりも所定時間早い時刻が到来した場合に、前記学習手段によって学習された乗車予想位置の位置情報と関連付けられた楽曲情報を前記楽曲記憶手段に記憶された楽曲情報の中から選択することを特徴とする楽曲配信装置。
【発明の詳細な説明】
【技術分野】
【０００１】
本発明は、携帯端末装置に対して楽曲を配信する楽曲配信システムおよび楽曲配信装置に関し、特に、ユーザの所在地域に応じた楽曲を紹介することができる楽曲配信システムおよび楽曲配信装置に関する。
【背景技術】
【０００２】
従来、携帯電話向けの音楽ダウンロードサービスのように、各レコード会社が保有する楽曲を携帯端末装置に対して配信する楽曲配信システムが知られている。
【０００３】
かかる楽曲配信システムでは、販促効果を高めることを目的とした各種のサービスが行われている。たとえば、楽曲配信システムでは、ユーザがこれまでダウンロードした楽曲のジャンルや再生回数等からユーザの嗜好情報を生成し、生成した嗜好情報との一致度が高い楽曲を優先的に配信するリコメンドサービスを行っている（たとえば、特許文献１参照）。
【０００４】
また、近年では、携帯端末装置と車載装置とを無線接続し相互に情報通信（連携）させることによって、携帯端末装置が有する音楽再生機能を車載装置側で利用する連携機能が普及しつつある。かかる連携機能を用いることで、リコメンドサービスへ加入しているユーザは、携帯端末装置に対して配信された自分好みの楽曲を車両の運転中に車載装置から再生して視聴することが可能となる。
【先行技術文献】
【特許文献】
【０００５】
【特許文献１】特開２００２−４１８２３号公報
【発明の概要】
【発明が解決しようとする課題】
【０００６】
しかしながら、従来のリコメンドサービスでは、ユーザがどこに所在していても同じような楽曲しか紹介することができなかった。これは、従来のリコメンドサービスが、単にユーザの嗜好情報にのみ基づいて楽曲を紹介するためである。
【０００７】
したがって、従来のリコメンドサービスでは、ユーザが好む楽曲であり、かつ、ユーザの所在地域で特に流行している楽曲をユーザに対して紹介するといったサービスを行うことができなかった。
【０００８】
このことから、ユーザの所在地域に応じた楽曲を紹介することができる楽曲配信システムあるいは楽曲配信装置をいかにして実現するかが大きな課題となっている。
【０００９】
本発明は、上述した従来技術による問題点を解消するためになされたものであって、ユーザの所在地域に応じた楽曲を紹介することができる楽曲配信システムおよび楽曲配信装置を提供することを目的とする。
【課題を解決するための手段】
【００１０】
上述した課題を解決し、目的を達成するために、本発明は、携帯端末装置と、前記携帯端末装置に対して楽曲情報を配信する楽曲配信装置とを含んだ楽曲配信システムであって、前記楽曲配信装置は、楽曲情報と当該楽曲情報が再生された際の位置情報を含む再生履歴情報とを記憶する楽曲記憶手段と、前記携帯端末装置から受信した再生情報に基づいて、前記再生履歴情報を更新する更新処理手段と、前記携帯端末装置から楽曲情報の配信要求を受けた場合に、配信要求に含まれる位置情報に基づく前記携帯端末装置の位置で流行している楽曲を、前記再生履歴情報に基づいて前記楽曲記憶手段に記憶された楽曲情報の中から選択する楽曲選択手段と、前記楽曲選択手段によって選択された楽曲情報を前記携帯端末装置へ配信する楽曲配信手段とを備え、前記携帯端末装置は、位置情報を取得する位置情報取得手段と、楽曲再生機能を備えた車載装置との間で通信リンクを確立させる連携手段と、前記連携手段によって前記車載装置との間で通信リンクが確立した場合に、前記位置情報取得手段によって取得された位置情報を含んだ前記配信要求を前記楽曲配信装置へ送信する配信要求手段と、前記楽曲配信装置から配信された楽曲情報を再生させる再生処理手段と、楽曲情報の再生を行った場合に、当該再生した楽曲情報の識別情報と再生した際の位置情報とを含む前記再生情報を前記楽曲配信装置に送信する履歴送信手段とを備え、前記履歴送信手段は、前記連携手段によって前記車載装置との間で通信リンクが確立された時刻および前記位置情報を含んだ行動パターン情報を前記楽曲配信装置に対して送信し、前記楽曲配信装置は、前記履歴送信手段によって送信される行動パターン情報に基づいて前記携帯端末装置のユーザの乗車予想時刻および乗車予想位置を学習する学習手段をさらに備え、前記楽曲配信装置の楽曲選択手段は、前記学習手段によって学習された乗車予想時刻または当該乗車予想時刻よりも所定時間早い時刻が到来した場合に、前記学習手段によって学習された乗車予想位置の位置情報と関連付けられた楽曲情報を前記楽曲記憶手段に記憶された楽曲情報の中から選択することを特徴とする。
【００１１】
また、本発明は、携帯端末装置に対して楽曲情報を配信する楽曲配信装置であって、楽曲情報と当該楽曲情報が再生された際の位置情報を含む再生履歴情報とを記憶する楽曲記憶手段と、前記携帯端末装置によって再生された楽曲情報の識別情報と再生された際の位置情報とを含む再生情報に基づいて前記再生履歴情報を更新する更新処理手段と、前記携帯端末装置から楽曲情報の配信要求を受けた場合に、配信要求に含まれる位置情報に基づく前記携帯端末装置の位置で流行している楽曲を、前記再生履歴情報に基づいて前記楽曲記憶手段に記憶された楽曲情報の中から選択する楽曲選択手段と、前記楽曲選択手段によって選択された楽曲情報を前記携帯端末装置へ配信する楽曲配信手段と、前記携帯端末装置によって送信される、前記携帯端末装置が車載装置との間で通信リンクが確立された時刻および前記位置情報を含んだ行動パターン情報に基づいて前記携帯端末装置のユーザの乗車予想時刻および乗車予想位置を学習する学習手段とを備え、前記楽曲選択手段は、前記学習手段によって学習された乗車予想時刻または当該乗車予想時刻よりも所定時間早い時刻が到来した場合に、前記学習手段によって学習された乗車予想位置の位置情報と関連付けられた楽曲情報を前記楽曲記憶手段に記憶された楽曲情報の中から選択することを特徴とする。
【発明の効果】
【００１２】
本発明によれば、楽曲配信装置の楽曲記憶手段が、楽曲情報と楽曲情報が再生された際の位置情報を含む再生履歴情報とを記憶し、楽曲配信装置の更新処理手段が、携帯端末装置から受信した再生情報に基づいて、再生履歴情報を更新し、楽曲配信装置の楽曲選択手段が、携帯端末装置から楽曲情報の配信要求を受けた場合に、配信要求に含まれる位置情報に基づく携帯端末装置の位置で流行している楽曲を、再生履歴情報に基づいて楽曲記憶手段に記憶された楽曲情報の中から選択し、楽曲配信装置の楽曲配信手段が、楽曲選択手段によって選択された楽曲情報を携帯端末装置へ配信し、携帯端末装置の位置情報取得手段が、位置情報を取得し、携帯端末装置の配信要求手段が、連携手段によって車載装置との間で通信リンクが確立した場合に、位置情報取得手段によって取得された位置情報を含んだ配信要求を楽曲配信装置へ送信し、携帯端末装置の再生処理手段が、楽曲配信装置から配信された楽曲情報を再生し、携帯端末装置の履歴送信手段が、楽曲情報の再生を行った場合に、当該再生した楽曲情報の識別情報と再生した際の位置情報とを含む再生情報を楽曲配信装置に配信することとした。また、携帯端末装置の履歴送信手段が、連携手段によって車載装置との間で通信リンクが確立された時刻および位置情報を含んだ行動パターン情報を楽曲配信装置に対して送信し、楽曲配信装置の学習手段が、履歴送信手段によって送信される行動パターン情報に基づいて携帯端末装置のユーザの乗車予想時刻および乗車予想位置を学習し、楽曲配信装置の楽曲選択手段が、学習手段によって学習された乗車予想時刻または当該乗車予想時刻よりも所定時間早い時刻が到来した場合に、学習手段によって学習された乗車予想位置の位置情報と関連付けられた楽曲情報を楽曲記憶手段に記憶された楽曲情報の中から選択することとしたため、ユーザの所在地域に応じた楽曲を紹介することができるという効果を奏する。
【図面の簡単な説明】
【００１３】
【図１】図１は、本発明に係る楽曲配信手法の概要を示す図である。
【図２】図２は、本実施例に係る楽曲配信装置が接続されるネットワーク環境を示す図である。
【図３】図３は、本実施例に係る楽曲配信装置および携帯端末装置の構成を示すブロック図である。
【図４】図４は、楽曲配信装置に記憶されるユーザ情報、楽曲情報および再生履歴情報の一例を示す図である。
【図５】図５は、車載装置の構成を示すブロック図である。
【図６】図６は、配信要求処理および再生処理の動作例を示す図である。
【図７】図７は、再生履歴情報の更新処理の動作例を示す図である。
【図８】図８は、学習処理の動作例を示す図である。
【図９】図９は、学習情報を用いた楽曲選択処理の動作例を示す図である。
【図１０】図１０は、乗車する車両に応じて配信パターンを異ならせる場合の動作例を示す図である。
【図１１】図１１は、乗車者の組合せを考慮して楽曲情報を配信する場合の動作例を示す図である。
【図１２】図１２は、楽曲配信装置、携帯端末装置および車載装置の間で実行される処理手順を示すシーケンス図である。
【発明を実施するための形態】
【００１４】
以下に添付図面を参照して、本発明に係る楽曲配信手法を適用した楽曲配信システムおよび楽曲配信装置の実施例を詳細に説明する。なお、以下では、本発明に係る楽曲配信手法の概要について図１を用いて説明した後に、本発明に係る楽曲配信手法を適用した楽曲配信システムおよび楽曲配信装置についての実施例を図２〜図１２を用いて説明することとする。
【００１５】
まず、実施例の詳細な説明に先立ち、本発明に係る楽曲配信手法の概要について図１を用いて説明する。図１は、本発明に係る楽曲配信手法の概要を示す図である。ここで、本発明に係る楽曲配信手法では、携帯端末装置が、ブルートゥース（登録商標）などの近距離無線通信を用いて車載装置間と接続可能であるものとする。
【００１６】
同図に示すように、本発明に係る楽曲配信手法では、ユーザが所持する携帯端末装置が、車載装置との間で通信リンクを確立させた場合に（同図の（１）参照）、測位衛星から位置情報を取得する（同図の（２）参照）。そして、携帯端末装置は、測位衛星から取得した位置情報を含んだ配信要求を楽曲配信装置に対して送信する（同図の（３）参照）。
【００１７】
一方、楽曲配信装置は、再生済楽曲ＤＢ（データベース）を有している。かかる再生済楽曲ＤＢは、携帯端末装置へ配信した楽曲が、どのような属性を持ったユーザによってどのような地域で視聴されたかを記憶するデータベースである。具体的には、再生済楽曲ＤＢは、携帯端末装置のユーザによって再生された楽曲情報をユーザの属性情報および楽曲情報の再生中における携帯端末装置の位置情報と関連付けて記憶している。ここで、ユーザの属性情報とは、ユーザの性別や年代等を含んだ情報である。
【００１８】
そして、楽曲配信装置は、携帯端末装置から配信要求を受信すると、かかる携帯端末装置のユーザの属性情報および配信要求に含まれる位置情報が共に一致する楽曲情報を再生済楽曲ＤＢから選択する（同図の（４）参照）。
【００１９】
たとえば、２０代の男性である携帯端末装置のユーザが、神戸市内で車両へ乗車したとすると、楽曲配信装置は、属性情報「男性」・「２０代」および位置情報「神戸市」と関連付けられた楽曲「ＡＡＡ」を再生済楽曲情報から選択する。
【００２０】
つづいて、本発明に係る楽曲配信手法では、楽曲配信装置が、再生済楽曲ＤＢから選択した楽曲情報を携帯端末装置に対して配信する（同図の（５）参照）。そして、携帯端末装置は、楽曲配信装置から楽曲情報を受信すると、受信した楽曲情報を近距離無線通信を用いて車載装置へ送信し（同図の（６）参照）、車載装置が、携帯端末装置から受信した楽曲情報を再生する（同図の（７）参照）。
【００２１】
この結果、携帯端末装置のユーザは、車両での移動中に、自分好みの楽曲であり、かつ、自分が現在所在する地域に応じた楽曲を車載装置から再生して視聴することが可能となる。
【００２２】
このように、本発明に係る楽曲配信手法では、楽曲配信装置が、携帯端末装置のユーザによって再生された楽曲情報をユーザの属性情報および楽曲情報の再生中における携帯端末装置の位置情報と関連付けて再生済楽曲情報として記憶する。そして、楽曲配信装置は、携帯端末装置から楽曲情報の配信要求を受けた場合に、かかる携帯端末装置の位置情報およびかかる携帯端末装置のユーザの属性情報と関連付けられた楽曲情報を再生済楽曲ＤＢに記憶された楽曲情報の中から選択して配信する。
【００２３】
また、本発明に係る楽曲配信手法では、携帯端末装置が、車載装置との間で通信リンクを確立させた場合に、測位衛星から取得した位置情報を含んだ配信要求を楽曲配信装置へ送信し、楽曲配信装置から配信された楽曲情報を車載装置に対して再生させることとした。したがって、車両で移動中のユーザに対してユーザの所在地域に応じた楽曲を紹介することができる。
【００２４】
ところで、本発明に係る楽曲配信手法では、携帯端末装置から送信される再生履歴情報に基づいて再生済楽曲ＤＢを更新する処理も併せて行うこととしている。
【００２５】
具体的には、本発明に係る楽曲配信手法では、携帯端末装置が、車載装置から楽曲情報を再生させた場合に、測位衛星から位置情報を取得し、取得した位置情報および再生中の楽曲を識別する情報を含んだ再生履歴情報を楽曲配信装置に対して送信する。そして、本発明に係る楽曲配信手法では、楽曲配信装置が、携帯端末装置から受信した再生履歴情報に基づいて再生済楽曲ＤＢを更新する。なお、かかる再生済楽曲ＤＢの更新処理については、実施例において後述することとする。
【００２６】
また、本発明に係る楽曲配信手法では、携帯端末装置と車載装置との通信リンクが確立された時刻や位置、あるいは通信リンクが解除された時刻等を学習情報として蓄積することで、各ユーザの行動パターンによりマッチした楽曲配信サービスを提供することもできる。
【００２７】
たとえば、本発明に係る楽曲配信手法では、ユーザの乗車予想時刻を学習することによってユーザが車両へ乗車する前に楽曲情報を先行配信することができる。また、本発明に係る楽曲配信手法では、ユーザの乗車予想時間に応じて楽曲情報の配信スケジュールを編成することもできる。なお、これらの点の詳細についても、実施例において後述する。
【００２８】
以下では、図１を用いて説明した楽曲配信手法を適用した楽曲配信システムおよび楽曲配信装置についての実施例を詳細に説明する。
【実施例】
【００２９】
図２は、本実施例に係る楽曲配信装置が接続されるネットワーク環境を示す図である。同図に示すように、楽曲配信装置１０は、楽曲配信サービスを提供する楽曲配信センタに設置される装置であり、インターネットや無線通信網といったネットワークを介して携帯端末装置２０と接続する。なお、本実施例に係る楽曲配信システムは、楽曲配信装置１０および携帯端末装置２０を少なくとも含むものである。
【００３０】
また、携帯端末装置２０は、ブルートゥース（登録商標）などの近距離無線通信を用いて車載装置３０と接続する。ここで、ブルートゥース（Bluetooth：登録商標）とは、２．４ＧＨｚの周波数帯を用いて半径数１０ｍ程度の無線通信を行う近距離無線通信規格であり、近年では、携帯電話やパーソナルコンピュータなどの電子機器に広く適用されている。また、車載装置３０は、表示機能やオーディオ再生機能、携帯端末装置２０との通信機能といった基礎的な機能のみを実装し、携帯端末装置２０と連携することで多機能化する車載装置である。
【００３１】
なお、本実施例では、ブルートゥース（登録商標）を用いて携帯端末装置２０／車載装置３０間の通信を行う場合について説明するが、Ｗｉ−Ｆｉ（ワイファイ：登録商標）、ＺｉｇＢｅｅ（ジグビー：登録商標）といった他の無線通信規格を用いることとしてもよい。また、携帯端末装置２０／車載装置３０間の通信を有線通信で行うこととしてもよい。
【００３２】
また、携帯端末装置２０は、ＧＰＳ（Global  Positioning  System）衛星等の測位衛星４０と接続することによって、測位衛星４０から位置情報を取得することができる。
【００３３】
次に、本実施例に係る楽曲配信装置１０および携帯端末装置２０の構成について図３を用いて説明する。図３は、本実施例に係る楽曲配信装置１０および携帯端末装置２０の構成を示すブロック図である。なお、同図には、楽曲配信装置１０および携帯端末装置２０の特徴を説明するために必要な構成要素のみを示しており、一般的な構成要素についての記載を省略している。
【００３４】
同図に示したように、楽曲配信装置１０は、通信インタフェース１１と、記憶部１２と、制御部１３とを備えている。また、記憶部１２は、ユーザ情報１２ａと、楽曲情報１２ｂと、再生履歴情報１２ｃと、学習情報１２ｄとを記憶している。また、制御部１３は、楽曲選択部１３ａと、楽曲配信部１３ｂと、更新処理部１３ｃと、学習部１３ｄとを備えている。なお、記憶部１２に記憶されるユーザ情報１２ａ、楽曲情報１２ｂおよび再生履歴情報１２ｃは、再生済楽曲情報の一例である。
【００３５】
一方、携帯端末装置２０は、通信インタフェース２１と、近距離通信部２２と、位置情報取得部２３と、制御部２４と、記憶部２５とを備えている。また、制御部２４は、連携部２４ａと、配信要求部２４ｂと、再生処理部２４ｃと、履歴送信部２４ｄとを備えている。また、記憶部２５は、ユーザ情報２５ａを記憶している。
【００３６】
以下では、まず、楽曲配信装置１０の各構成要素について説明する。通信インタフェース１１は、携帯端末装置２０との間で通信データの送受信を行う通信デバイスである。
【００３７】
記憶部１２は、不揮発性メモリやハードディスクドライブといった記憶デバイスであり、ユーザ情報１２ａ、楽曲情報１２ｂ、再生履歴情報１２ｃおよび学習情報１２ｄを記憶する。
【００３８】
ユーザ情報１２ａは、楽曲配信センタが提供する楽曲配信サービスの加入者に関する情報である。また、楽曲情報１２ｂは、携帯端末装置２０へ配信する楽曲の音源データや曲名等を含んだ情報である。また、再生履歴情報１２ｃは、各携帯端末装置２０が車載装置３０を用いて楽曲情報を再生した時刻等を含んだ履歴情報である。
【００３９】
ここで、ユーザ情報１２ａ、楽曲情報１２ｂおよび再生履歴情報１２ｃの具体的な内容について図４を用いて説明する。図４は、楽曲配信装置１０に記憶されるユーザ情報１２ａ、楽曲情報１２ｂおよび再生履歴情報１２ｃの一例を示す図である。なお、同図の（Ａ）には、ユーザ情報１２ａの一例を、同図の（Ｂ）には、楽曲情報１２ｂの一例を、同図の（Ｃ）には、再生履歴情報１２ｃの一例を、それぞれ示している。
【００４０】
同図の（Ａ）に示したように、ユーザ情報１２ａは、ユーザごとに割り当てられるユーザＩＤに対して、「携帯ＩＤ」項目および「属性情報」項目を関連付けた情報である。ここで、「携帯ＩＤ」項目は、携帯端末装置２０を識別する携帯ＩＤが格納される項目である。
【００４１】
また、「属性情報」項目は、ユーザの属性情報が格納される項目である。具体的には、「属性情報」項目は、「性別」項目および「年代」項目を含んでいる。「性別」項目は、ターゲットユーザの性別が格納される項目であり、「年代」項目は、ターゲットユーザの年代が格納される項目である。
【００４２】
たとえば、同図の（Ａ）に示した場合には、ユーザＩＤ「０００１」が、携帯ＩＤ「ａａａａ」、性別「男性」および年代「２０代」と関連付けられている。これは、ユーザＩＤ「０００１」を割り当てられたユーザが、携帯ＩＤ「ａａａａ」の携帯端末装置２０を所持する２０代の男性であることを示している。
【００４３】
また、同図の（Ｂ）に示したように、楽曲情報１２ｂは、楽曲ごとに割り当てられる楽曲ＩＤに対して、「アーティスト」項目、「曲名」項目、「その他情報」項目および「音源データ」項目を関連付けた情報である。
【００４４】
ここで、「アーティスト」項目は、楽曲の演奏者（アーティスト）の名称が格納される項目であり、「曲名」項目は、楽曲名が格納される項目である。また、「その他情報」項目には、楽曲に関するその他の情報が格納される。たとえば、「その他情報」項目には、楽曲のジャンル、楽曲を収録したアルバムのアルバム名等が格納される。また、「音源データ」項目は、楽曲の音源データが格納される項目である。
【００４５】
また、同図の（Ｃ）に示したように、再生履歴情報１２ｃは、ユーザＩＤに対して、「位置情報」項目および「楽曲ＩＤ」項目を関連付けた情報である。ここで、「位置情報」項目は、楽曲の再生地域を示す位置情報が格納される項目である。
【００４６】
たとえば、同図の（Ｃ）に示した場合には、ユーザＩＤ「０００２」が、位置情報「神戸市」および楽曲ＩＤ「Ａ０１」と関連付けられている。これは、ユーザＩＤ「０００２」を割り当てられたユーザが、神戸市内で、楽曲ＩＤ「Ａ０１」の楽曲（楽曲名「●●●」）を視聴したことを示している。
【００４７】
なお、再生履歴情報１２ｃは、携帯端末装置２０から送信される再生履歴情報に基づいて更新処理部１３ｃによって更新されるが、かかる点については、図７を用いて後述することとする。
【００４８】
図３に戻り、学習情報１２ｄについて説明する。学習情報１２ｄは、携帯端末装置のユーザの行動パターンの学習結果を含んだ情報である。具体的には、学習情報１２ｄは、ユーザの乗車予想位置や乗車予想時刻、降車予想時刻といった情報を含んでいる。
【００４９】
なお、かかる学習情報１２ｄは、携帯端末装置２０から送信される行動パターン情報に基づいて学習部１３ｄによって更新されるが、かかる点については、図８等を用いて後述することとする。
【００５０】
つづいて、制御部１３について説明する。楽曲選択部１３ａは、記憶部１２に記憶された楽曲情報１２ｂの中から、ユーザの属性情報およびユーザの所在地の位置情報と関連付けられた楽曲情報を選択する処理部である。
【００５１】
具体的には、楽曲選択部１３ａは、携帯端末装置２０から配信要求を受け取ると、配信要求に含まれるユーザＩＤおよび位置情報を取り出す。さらに、楽曲選択部１３ａは、取り出したユーザＩＤに対して関連付けられた属性情報をユーザ情報１２ａから取り出す。
【００５２】
また、楽曲選択部１３ａは、ユーザ情報１２ａから取り出した属性情報（すなわち、配信要求を行ったユーザの属性情報）と同一の属性情報と関連付けられたユーザＩＤと、配信要求に含まれる位置情報とに関連付けられた楽曲ＩＤを再生履歴情報１２ｃから取り出す。
【００５３】
そして、楽曲選択部１３ａは、取り出した楽曲ＩＤに対応する楽曲情報を記憶部１２から取り出して楽曲配信部１３ｂへ渡す。なお、かかる楽曲選択処理の具体的な動作例については、携帯端末装置２０の配信要求部２４ｂによる配信要求処理等と併せて図６を用いて後述することとする。
【００５４】
楽曲配信部１３ｂは、楽曲選択部１３ａによって選択された楽曲情報を通信インタフェース１１経由で携帯端末装置２０へ配信する処理部である。具体的には、楽曲配信部１３ｂは、図４の（Ｂ）に示した「アーティスト」項目、「曲名」項目、「その他情報」項目および「音源データ」項目に格納された各情報を携帯端末装置２０の配信要求部２４ｂへ配信する。
【００５５】
更新処理部１３ｃは、携帯端末装置２０から受信した再生履歴情報に基づいて再生履歴情報１２ｃを更新する処理部である。なお、かかる再生履歴情報１２ｃの更新処理の具体的な動作例については、携帯端末装置２０の履歴送信部２４ｄによる履歴送信処理等と併せて図７を用いて後述することとする。
【００５６】
学習部１３ｄは、携帯端末装置２０から受信した行動パターン情報に基づいて携帯端末装置２０のユーザの乗車予想位置や乗車予想時刻、乗車予想位置等を学習し、学習結果を学習情報１２ｄとして記憶する処理部である。なお、かかる学習部１３ｄによる学習処理の具体的な動作例については、携帯端末装置２０の履歴送信部２４ｄによる行動パターン情報送信処理等と併せて図８等を用いて後述することとする。
【００５７】
次に、携帯端末装置２０の各構成要素について説明する。通信インタフェース２１は、楽曲配信装置１０との間で通信データの送受信を行う通信デバイスである。また、近距離通信部２２は、車載装置３０との間でブルートゥース（登録商標）などの近距離無線通信を行うための通信デバイスである。
【００５８】
位置情報取得部２３は、測位衛星４０から提供される位置情報を取得し、配信要求部２４ｂまたは履歴送信部２４ｄへ渡すデバイスである。
【００５９】
制御部２４は、車載装置３０との連携処理、楽曲情報の配信要求処理、楽曲情報の再生処理、再生履歴情報の送信処理といった処理を実行する処理部である。
【００６０】
連携部２４ａは、ブルートゥース（登録商標）などの近距離無線通信を用いて車載装置３０との通信リンクを確立するとともに、確立した通信リンクを用いて携帯端末装置２０／車載装置３０間の通信処理を行う処理部である。また、連携部２４ａは、車載装置３０との通信リンクを確立した場合に、通信リンクが確立した旨を配信要求部２４ｂへ通知する処理も併せて行う。
【００６１】
配信要求部２４ｂは、連携部２４ａから車載装置３０との通信リンクが確立した旨の通知を受けた場合に、楽曲配信装置１０に対して楽曲情報の配信要求を行う処理部である。
【００６２】
具体的には、配信要求部２４ｂは、まず、位置情報取得部２３から現在位置の位置情報を取得する。ここで、配信要求部２４ｂは、位置情報取得部２３から取得した局所的な位置情報を住所レベルの位置情報へ変換する。本実施例では、配信要求部２４ｂは、位置情報取得部２３から取得した局所的な位置情報から携帯端末装置２０が所在する「市」を特定して「市」レベルの位置情報へ変換するものとする。
【００６３】
なお、配信要求部２４ｂは、位置情報取得部２３から取得した局所的な位置情報を「市」レベルではなく、「区」や「町」レベルあるいは「県」レベルへ変換することとしてもよい。また、かかる位置情報の変換は、携帯端末装置２０ではなく、楽曲配信装置１０で行ってもよい。
【００６４】
つづいて、配信要求部２４ｂは、記憶部２５に記憶されたユーザ情報２５ａからユーザＩＤを取り出し、取り出したユーザＩＤおよび「市」レベルへ変換した位置情報を含んだ配信要求を通信インタフェース２１経由で楽曲配信装置１０へ送信する。なお、ユーザ情報２５ａには、図４（Ａ）に示したものと同様に、ユーザＩＤ、携帯ＩＤおよび属性情報が含まれているものとする。
【００６５】
再生処理部２４ｃは、楽曲配信装置１０から配信される楽曲情報を車載装置３０から再生させる処理部である。具体的には、再生処理部２４ｃは、楽曲配信装置１０から楽曲情報を受信すると、受信した楽曲情報を近距離通信部２２経由で車載装置３０へ送信する。
【００６６】
また、再生処理部２４ｃは、車載装置３０から楽曲情報が再生された場合に、楽曲情報が再生された旨およびかかる楽曲情報の楽曲ＩＤを履歴送信部２４ｄへ通知する処理も併せて行う。なお、楽曲情報が再生された旨を送信するタイミングは、楽曲情報の再生直後、再生途中あるいは再生終了時の何れであってもよい。
【００６７】
また、再生処理部２４ｃは、車載装置３０から近距離通信部２２を介して楽曲情報の再生に関する各種の操作情報を受け取った場合には、受け取った操作に対応する処理を実行する。たとえば、再生処理部２４ｃは、車載装置３０から楽曲情報の停止操作を受け取った場合には、楽曲情報の再生を停止するよう車載装置３０に対して指示する。
【００６８】
なお、楽曲情報の再生に関する操作としては、ＲＰＴ操作、頭出し操作あるいはスキップ操作等がある。ここで、ＲＰＴ操作とは、楽曲の繰り返し再生を指示する操作であり、頭出し操作とは、楽曲の頭出し再生を指示する操作であり、スキップ操作とは、楽曲の先送り操作を指示する操作である。
【００６９】
履歴送信部２４ｄは、楽曲配信装置１０に対して楽曲情報の再生履歴を送信する処理部である。具体的には、履歴送信部２４ｄは、再生処理部２４ｃから楽曲情報が再生された旨の通知および楽曲ＩＤを受け取った場合に、位置情報取得部２３から現在の位置情報を取得する。
【００７０】
そして、履歴送信部２４ｄは、位置情報取得部２３から取得した位置情報および再生処理部２４ｃから取得した楽曲ＩＤをユーザＩＤと関連付けた再生履歴情報を生成して楽曲配信装置１０へ送信する。なお、履歴送信部２４ｄは、配信要求部２４ｂと同様、位置情報取得部２３から取得した局所的な位置情報を「市」レベルへ変換したうえで楽曲配信装置１０へ送信する。
【００７１】
ところで、履歴送信部２４ｄは、連携部２４ａによって車載装置１０との間で通信リンクが確立されると、位置情報取得部２３から現在位置の位置情報を取得し、取得した位置情報および通信リンクが確立された時刻を含んだ行動パターン情報を楽曲配信装置１０へ送信する処理も行う。
【００７２】
同様に、履歴送信部２４ｄは、連携部２４ａによって車載装置１０との間で確立された通信リンクが解除された場合にも、位置情報取得部２３から取得した位置情報および通信リンクが解除された時刻を含んだ行動パターン情報を楽曲配信装置１０へ送信する。なお、楽曲配信装置１０では、学習部１３ｄが、かかる行動パターン情報を用いてユーザの乗車予想時刻や降車予想時刻等を学習することとなるが、かかる点については、図８等を用いて後述する。
【００７３】
記憶部２５は、不揮発性メモリやハードディスクドライブといった記憶デバイスであり、ユーザ情報２５ａを記憶する。ユーザ情報２５ａは、ユーザＩＤ、携帯ＩＤおよび属性情報を含んだ情報である。
【００７４】
次に、車載装置３０の構成について図５を用いて説明する。図５は、車載装置３０の構成を示すブロック図である。なお、同図には、車載装置３０の特徴を説明するために必要な構成要素のみを示しており、一般的な構成要素についての記載を省略している。
【００７５】
同図に示したように、車載装置３０は、近距離通信部３１と、タッチパネルディスプレイ３２と、スピーカ３３と、制御部３４とを備えている。近距離通信部３１は、携帯端末装置２０との間でブルートゥース（登録商標）などの近距離無線通信を行うための通信デバイスである。
【００７６】
タッチパネルディスプレイ３２は、各種画像を表示するためのディスプレイの表面に入力用のタッチパネルを付した入出力デバイスである。ここでは、説明の便宜上、タッチパネルディスプレイ３２を表示部３２ａと操作部３２ｂとに分けて説明する。スピーカ３３は、携帯端末装置２０から近距離通信部３１を介して送信される音源データを出力する音声出力部である。
【００７７】
制御部３４は、連携部３４ａと再生処理部３４ｂとを備えている。連携部３４ａは、ブルートゥース（登録商標）などの近距離無線通信を用いて携帯端末装置２０との通信リンクを確立するとともに、確立した通信リンクを用いて車載装置３０／携帯端末装置２０間の通信処理を行う処理部である。
【００７８】
また、連携部３４ａは、携帯端末装置２０から楽曲情報を取得した場合に、楽曲情報に含まれる音源データを再生処理部３４ｂへ渡す処理も併せて行う。また、連携部３４ａは、携帯端末装置２０から取得した楽曲情報に含まれる音源データ以外の情報（たとえば、図４（Ｂ）に示した「アーティスト」項目や「曲名」項目など）を表示部３２ａに対して表示させる処理を行う。
【００７９】
また、連携部３４ａは、操作部３２ｂから各種の操作情報を取得した場合に、取得した操作情報を近距離通信部３１経由で携帯端末装置２０へ送信する処理を行う。
【００８０】
再生処理部３４ｂは、連携部３４ａから音源データを受け取った場合に、受け取った音源データをスピーカ３３に対して出力させる処理部である。
【００８１】
次に、楽曲情報の配信要求処理および再生処理の動作例について図６を用いて説明する。図６は、配信要求処理および再生処理の動作例を示す図である。なお、同図の（Ａ）には、配信要求処理の動作例について、同図の（Ｂ）には、再生処理の動作例について、それぞれ示している。
【００８２】
同図の（Ａ）に示したように、携帯端末装置１０では、連携部２４ａが、車載装置３０との間で通信リンクを確立させると（同図の（Ａ−１）参照）、配信要求部２４ｂが、測位衛星４０から現在位置の位置情報を取得するとともに住所変換を行う（同図の（Ａ−２）参照）。
【００８３】
このように、携帯端末装置２０が、車載装置３０との間で通信リンクが確立した場合に配信要求を送信することとすれば、携帯端末装置２０から配信要求を受けることで、ユーザが車両へ乗車したと特定することができる。すなわち、楽曲配信センタあるいはレコード会社は、楽曲を車内で視聴されることを強く推定することができる。
【００８４】
つづいて、携帯端末装置１０では、配信要求部２４ｂが、ユーザ情報２５ａからユーザＩＤを取り出し、かかるユーザＩＤおよび住所変換後の位置情報を含んだ配信要求を楽曲配信装置１０へ送信する（同図の（Ａ−３）参照）。ここでは、同図の（Ａ−３）に示したように、ユーザＩＤ「０００１」および位置情報「神戸市」を含んだ配信要求が送信されるものとする。
【００８５】
つづいて、楽曲配信装置１０では、楽曲選択部１３ａが、携帯端末装置２０から配信要求を受信すると、受信した配信要求に含まれるユーザＩＤおよび位置情報を取り出す。また、楽曲選択部１３ａは、ユーザ情報１２ａを参照し、ユーザＩＤ「０００１」と関連付けられた属性情報として「男性」・「２０代」を特定する（同図の（Ａ−４）参照）。
【００８６】
そして、楽曲選択部１３ａは、再生履歴情報１２ｃおよびユーザ情報１２ａを参照し、属性情報「男性」・「２０代」および位置情報「神戸市」に対応する楽曲ＩＤ「Ａ０１」を選択する（同図の（Ａ−５）参照）。
【００８７】
具体的には、楽曲選択部１３ａは、再生履歴情報１２ｃの中から位置情報「神戸市」と関連付けられたユーザＩＤを特定する。ここでは、図４（Ｃ）に示したように、ユーザＩＤ「０００２」およびユーザＩＤ「０００３」が該当する。つづいて、楽曲選択部１３ａは、ユーザ情報１２ａを参照し、特定したユーザＩＤのうち、属性情報「男性」・「２０代」と関連付けられたユーザ情報をさらに特定する。ここでは、図４（Ａ）に示したように、ユーザＩＤ「０００２」が該当する。そして、楽曲選択部１３ａは、ユーザＩＤ「０００２」および位置情報「神戸市」と関連付けられた楽曲ＩＤ「Ａ０１」を選択する。
【００８８】
つづいて、同図の（Ｂ）に示したように、楽曲配信装置１０では、楽曲配信部１３ｂが、楽曲選択部１３ａによって選択された楽曲情報を携帯端末装置２０へ配信する（同図の（Ｂ−１）参照）。また、携帯端末装置２０では、再生処理部２４ｃが、楽曲配信装置１０から受信した楽曲情報を近距離通信部２２経由で車載装置３０へ送信する（同図の（Ｂ−２）参照）。そして、車載装置３０では、再生処理部３４ｂが、携帯端末装置２０から受信した楽曲情報を再生する（同図の（Ｂ−３）参照）。
【００８９】
次に、楽曲配信装置１０が記憶する再生履歴情報１２ｃの更新処理の動作例について図７を用いて説明する。図７は、再生履歴情報の更新処理の動作例を示す図である。
【００９０】
同図に示すように、携帯端末装置２０では、車載装置３０からの楽曲情報の再生開始時、再生中あるいは再生終了時に（同図の（１）参照）、履歴送信部２４ｄが、位置情報取得部２３から位置情報を取得するとともに、取得した位置情報の住所変換を行う（同図の（２）参照）。
【００９１】
そして、携帯端末装置２０では、履歴送信部２４ｄが、ユーザＩＤ、位置情報および楽曲ＩＤを含んだ再生履歴情報を楽曲配信装置１０に対して送信する（同図の（３）参照）。ここでは、同図の（３）に示したように、ユーザＩＤ「０００１」、位置情報「神戸市」および楽曲ＩＤ「Ａ０１」を含んだ再生履歴情報が送信されるものとする。
【００９２】
一方、楽曲配信装置１０では、更新処理部１３ｃが、携帯端末装置２０から再生履歴情報を受信すると、受信した再生履歴情報に基づき、記憶部１２に記憶した再生履歴情報１２ｃを更新する。これによって、再生履歴情報１２ｃには、同図の（３）に示した再生履歴情報が追加される（同図の（４）参照）。
【００９３】
このように、楽曲情報が車載装置３０から再生された場合に、携帯端末装置２０の履歴送信部２４ｄが、位置情報取得部２３によって取得された位置情報を含んだ再生履歴情報を楽曲配信装置１０に対して送信し、楽曲配信装置１０の更新処理部１３ｃが、携帯端末装置２０によって送信された再生履歴情報に基づいて記憶部１２に記憶された再生履歴情報１２ｃを更新することとした。
【００９４】
したがって、各レコード会社は、自社が保有する楽曲がどのような地域でどのような属性のユーザに対して視聴されているかを容易に把握することができる。しかも、楽曲情報が車載装置３０から再生された場合に再生履歴情報を送信することとしたため、楽曲配信センタあるいはレコード会社は、楽曲が車内で再生されたことをより強く推定することができる。また、ある地域の流行楽曲を紹介されたユーザが、かかる流行楽曲を視聴することによって、かかる流行楽曲の更なる流行を促進させることができる。
【００９５】
次に、ユーザの行動パターンの学習処理について図８および図９を用いて説明する。まず、学習情報を更新する場合の動作例について図８を用いて説明する。図８は、学習処理の動作例を示す図である。
【００９６】
同図に示したように、携帯端末装置２０では、履歴送信部２４ｄが、車載装置３０との間で通信リンクが確立した場合、または、通信リンクが解除された場合に、それぞれ通信リンクの確立時刻または解除時刻を特定する（同図の（１）参照）。また、履歴送信部２４ｄは、位置情報取得部２３から位置情報を取得するとともに、取得した位置情報の住所変換を行う（同図の（２）参照）。
【００９７】
つづいて、携帯端末装置２０では、履歴送信部２４ｄが、ユーザＩＤ、位置情報および通信リンクの確立時刻（または解除時刻）を含んだ行動パターン情報を楽曲配信装置１０に対して送信する（同図の（３）参照）。ここでは、同図の（３）に示したように、ユーザＩＤ「０００１」、位置情報「神戸市」および解除時刻「１４：００」を含んだ行動パターン情報が送信されるものとする。
【００９８】
一方、楽曲配信装置１０では、学習部１３ｄが、携帯端末装置２０から行動パターン情報を受信すると、受信した行動パターン情報に基づき、記憶部１３に記憶した学習情報１２ｄを更新する（同図の（４）参照）。
【００９９】
具体的には、同図の（４）に示したように、学習情報１２ｄは、ユーザＩＤごとに、「乗車予想位置」項目、「乗車予想時刻」項目、「後車予想時刻」項目および「乗車予想時間」を関連付けた情報である。
【０１００】
ここで、「乗車予想位置」項目は、ユーザの乗車予想位置の位置情報が格納される項目である。同図の（４）に示した場合には、「神戸市」が格納されている。学習部１２ｄは、行動パターン情報に含まれる頻度が最も高い位置情報を「乗車予想位置」項目へ格納する。
【０１０１】
また、「乗車予想時刻」項目および「降車予想時刻」項目は、それぞれユーザが車両へ乗車すると予想される時刻および車両から降車すると予想される時刻が格納される項目である。同図の（４）に示した場合には、それぞれ「１３：００」および「１４：００」が格納されている。
【０１０２】
学習部１２ｄは、今回受信した行動パターン情報に含まれる確立時刻およびこれまでに受信した行動パターン情報に含まれる確立時刻の平均時刻を「乗車予想時刻」項目へ格納する。同様に、学習部１２ｄは、解除時刻の平均時刻を「降車予想時刻」項目へ格納する。また、学習部１２ｄは、「降車予想時刻」項目へ格納した時刻から「乗車予想時刻」項目へ格納した時刻を差し引いた時間を「乗車予想時間」項目へ格納する。
【０１０３】
次に、図８の（４）に示した学習情報１２ｄの各項目を用いた楽曲選択処理について図９を用いて説明する。図９は、学習情報を用いた楽曲選択処理の動作例を示す図である。なお、同図の（Ａ）には、乗車予想時刻に基づいて楽曲情報を先行配信する場合の動作例を、同図の（Ｂ）には、乗車予想時間に基づいて楽曲情報の配信スケジュールを編成する場合の動作例について、それぞれ示している。
【０１０４】
同図の（Ａ）に示したように、楽曲配信装置１０では、楽曲選択部１３ａが、学習情報１２ｄに含まれる「乗車予測時刻」の５分前の時刻を楽曲情報の先行配信時刻として決定する（同図の（Ａ−１）参照）。ここでは、「乗車予想時刻」項目に「１３：００」が格納されているため、楽曲選択部１３ａは、「１３：００」の５分前を先行配信時刻として決定する。なお、楽曲選択部１３ａは、「乗車予測時刻」自体を先行配信時刻として決定してもよい。
【０１０５】
つづいて、楽曲選択部１３ａは、学習情報１２ｄに含まれる「ユーザＩＤ」および「乗車予想位置」を用いて先行配信する楽曲情報を選択する（同図の（Ａ−２）参照）。ここでは、ユーザＩＤ「０００１」および乗車予想位置「神戸市」が含まれるため、楽曲選択部１３ａは、楽曲ＩＤ「Ａ０１」の楽曲情報を選択する。なお、かかる点の具体的な動作については、図６の（Ａ−４）および（Ａ−５）を用いて説明した通りである。
【０１０６】
そして、楽曲配信装置１０では、楽曲配信部１３ｂが、楽曲ＩＤ「Ａ０１」の楽曲情報を「１３：００」の５分前に先行配信する（同図の（Ａ−３）参照）。
【０１０７】
このように、携帯端末装置２０の履歴送信部２４ｄが、連携部２４ａによって車載装置３０との間で通信リンクが確立された時刻および位置情報を含んだ行動パターン情報を楽曲配信装置１０に対して送信し、楽曲配信装置１０の学習部１３ｄが、携帯端末装置２０によって送信される行動パターン情報に基づいてかかる携帯端末装置２０のユーザの乗車予想時刻および乗車予想位置を学習することとした。
【０１０８】
また、楽曲配信装置１０が、学習部１３ｄによって学習された乗車予想時刻またはかかる乗車予想時刻よりも所定時間早い時刻が到来した場合に、乗車予想位置の位置情報およびユーザの属性情報と関連付けられた楽曲情報を選択して携帯端末装置２０へ先行配信することとした。
【０１０９】
したがって、携帯端末装置２０には、ユーザが車両へ乗車する前あるいは乗車するタイミングで楽曲情報が先行配信されることとなるため、ユーザは、乗車時に、乗車した地域で流行の楽曲を楽曲配信装置１０からの配信を待つことなくすぐさま視聴することができる。
【０１１０】
つづいて、乗車予想時間に基づいて楽曲情報の配信スケジュールを編成する場合の動作例について同図の（Ｂ）を用いて説明する。
【０１１１】
同図の（Ｂ）に示したように、楽曲配信装置１０では、楽曲選択部１３ａが、携帯端末装置２０から配信要求を受けた場合に、学習情報１２ｄに含まれる「乗車予想時間」に相当する配信スケジュールを編成する（同図（Ｂ−１）参照）。ここでは、「乗車予想時間」項目に「１ｈ」が格納されているため、楽曲選択部１３ａは、１時間分に相当する配信スケジュールを編成する。
【０１１２】
具体的には、楽曲選択部１３ａは、配信要求に対応する楽曲情報の中から、「乗車予想時間」に応じた数の楽曲情報を選択する。かかる場合、楽曲選択部１３ａは、ユーザの嗜好情報との一致度が高い楽曲情報（たとえば、ユーザの好みのジャンルの楽曲情報）を優先的に選択することとしてもよい。なお、ユーザの嗜好情報は、ユーザ情報１２ａとして記憶部１２へあらかじめ記憶されているものとする。
【０１１３】
そして、楽曲配信装置１０では、楽曲配信部１３ｂが、編成した配信スケジュールに従って楽曲情報を携帯端末装置２０へ配信する（同図の（Ｂ−２）参照）。
【０１１４】
このように、携帯端末装置２０の履歴送信部２４ｄが、連携部２４ａによって確立された通信リンクが解除された時刻を含んだ行動パターン情報を楽曲配信装置１０に対してさらに送信し、楽曲配信装置１０の学習部１３ｄが、通信リンクが確立された時刻および解除された時刻に基づいて携帯端末装置１０のユーザの乗車予想時間を学習することとした。
【０１１５】
また、楽曲配信装置１０の楽曲選択部１３ａが、携帯端末装置２０から配信要求を受けた場合に、かかる携帯端末装置２０の位置情報およびユーザの属性情報と関連付けられた楽曲情報の中から、学習部１３ｄによって学習された乗車予想時間に応じた数の楽曲情報をさらに選択することとした。したがって、ユーザの乗車時間に合った内容の楽曲情報を配信することができる。
【０１１６】
ところで、ユーザは、平日には仕事用の車両へ乗車し、休日にはプライベート用の車両へ乗車するといったように、複数の車両を利用する場合がある。そこで、乗車する車両ごとに配信する楽曲情報を異ならせてもよい。以下では、かかる場合について図１０を用いて説明する。図１０は、乗車する車両に応じて配信パターンを異ならせる場合の動作例を示す図である。なお、同図の（Ａ）には概要を、同図の（Ｂ）には動作例を、それぞれ示している。
【０１１７】
同図の（Ａ）に示したように、楽曲配信装置１０の楽曲選択部１３ａは、携帯端末装置２０および車載装置３０の組合せに応じて配信パターンを異ならせることができる。たとえば、楽曲選択部１３ａは、ユーザＩＤ「０００１」、携帯ＩＤ「ａａａａ」の携帯端末装置２０が車載ＩＤ「ｘｘｘ」の車載装置３０ａとの間で通信リンクを確立させた場合には、配信パターンＡを用いて「Ｊ−ＰＯＰ」を中心とした楽曲情報を配信する。なお、車載ＩＤとは、車載機３０ごとに割り当てられる識別情報である。
【０１１８】
また、楽曲選択部１３ａは、上記の携帯端末装置２０が車載ＩＤ「ｚｚｚ」の車載装置３０ｂとの間で通信リンクを確立させた場合には、配信パターンＢを用いて「洋楽」を中心とした楽曲情報を配信する。
【０１１９】
具体的には、同図の（Ｂ）に示したように、携帯端末装置２０では、連携部２４ａが、車載装置３０ａとの間で通信リンクを確立させると（同図の（Ｂ−１）参照）、配信要求部２４ｂが、車載装置３０ａから車載ＩＤを取得する（同図の（Ｂ−２）参照）。
【０１２０】
つづいて、携帯端末装置２０では、配信要求部２４ｂが、ユーザＩＤ、位置情報および車載ＩＤを含んだ配信要求を楽曲配信装置１０に対して送信する（同図の（Ｂ−３）参照）。ここでは、同図の（Ｂ−３）に示したように、ユーザＩＤ「０００１」、位置情報「神戸市」および車載ＩＤ「ｘｘｘ」を含んだ配信要求を送信する。
【０１２１】
つづいて、楽曲配信装置１０では、楽曲選択部１３ａが、ユーザＩＤ「０００１」と関連付けられた携帯ＩＤ「ａａａａ」および車載ＩＤ「ｘｘｘ」の組合せに対応する配信パターンＡを選択する（同図の（Ｂ−４）参照）。そして、楽曲選択部１３ａは、ユーザＩＤ「０００１」と関連付けられた属性情報および配信要求に含まれる位置情報「神戸市」に対応する楽曲情報の中から、配信パターンＡに該当する楽曲情報（ここでは、ジャンルが「Ｊ−ＰＯＰ」の楽曲情報）を選択する。
【０１２２】
このように、車載装置３０が、携帯端末装置２０との間で通信リンクが確立された場合に、車載ＩＤを携帯端末装置２０へ送信し、携帯端末装置２０の配信要求部２４ｂが、車載装置３０から受信した車載ＩＤおよび位置情報取得部２３から取得した位置情報を含んだ配信要求を楽曲配信装置１０に対して送信することとした。
【０１２３】
また、楽曲配信装置１０の楽曲選択部１３ａが、携帯端末装置２０から配信要求を受けた場合に、かかる携帯端末装置１０の位置情報およびユーザの属性情報と関連付けられた楽曲情報の中から、携帯端末装置１０の携帯ＩＤおよび配信要求に含まれる車載ＩＤの組合せに応じた楽曲情報をさらに選択することとした。したがって、ユーザは、同じ地域内でしか車両を運転しない場合であっても、車両ごとに異なる楽曲を視聴することができる。
【０１２４】
ところで、これまでは、ユーザが楽曲情報を１人で視聴する場合を想定して説明してきたが、これに限ったものではない。すなわち、楽曲情報は、車両に乗り合わせた複数のユーザによって視聴されることも考えられる。そこで、以下では、乗車者の組合せを考慮して楽曲情報を配信する場合について図１１を用いて説明する。
【０１２５】
図１１は、乗車者の組合せを考慮して楽曲情報を配信する場合の動作例を示す図である。なお、同図の（Ａ）には、乗車者の組合せの一例を、同図の（Ｂ）には、再生履歴情報１２ｃの他の一例を、同図の（Ｃ）には、乗車者の組合せに対応した楽曲情報を選択する動作例を、それぞれ示している。
【０１２６】
同図の（Ａ）に示したように、車載装置３０を搭載した車両には、２０代の女性および２０代の男性の２人が乗車している。なお、ここでは、両者がともに携帯端末装置を所持しているものとする。また、両者が所持する携帯端末装置には、ユーザの属性情報がそれぞれ記憶されているものとする。
【０１２７】
同図の（Ｂ）に示したように、再生履歴情報１２ｃには、「位置情報」項目および「楽曲ＩＤ」項目が、属性情報の組合せと関連付けられている。たとえば、同図の（Ｂ）に示した場合には、性別「男性」・年代「２０代」の属性情報と性別「女性」・年代「２０代」の属性情報との組合せ（組合せ名「２０代カップル」）が、位置情報「神戸市」および楽曲ＩＤ「Ａ０２」と関連付けられている。
【０１２８】
同図の（Ｃ）に示したように、各乗車者は、各自の携帯端末装置２０ａ，２０ｂを用いて車載装置３０に対して属性情報を送信する（同図の（Ｃ−１）参照）。また、車載装置３０では、連携部３４ａが、所定時間内に受信した属性情報を組合せ情報として一方の携帯端末装置２０ｂへ送信する（同図の（Ｃ−２）参照）。なお、連携部３４ａは、車載装置３０と先に通信リンクを確立した携帯端末装置２０に対して組合せ情報を送信すればよい。
【０１２９】
つづいて、車載装置３０から組合せ情報を受信した携帯端末装置２０ｂでは、配信要求部２４ｂが、組合せ情報および位置情報を含んだ配信要求を楽曲配信装置１０に対して送信する（同図の（Ｃ−３）参照）。
【０１３０】
また、楽曲配信装置１０では、楽曲選択部１３ａが、携帯端末装置２０ｂから受信した配信要求に含まれる組合せ情報および位置情報に対応する楽曲情報を選択する（同図の（Ｃ−４）参照）。ここでは、楽曲選択部１３ａは、「２０代カップル」の組合せ情報および位置情報「神戸市」を受信したため、これらに対応する楽曲情報として、楽曲ＩＤ「Ａ０２」の楽曲情報を選択する。そして、楽曲配信装置１０では、楽曲配信部１３ｂが、選択された楽曲情報を携帯端末装置２０ｂに対して配信し、携帯端末装置２０ｂでは、再生処理部２４ｃが、楽曲情報を車載装置３０に対して再生させる。
【０１３１】
このように、再生履歴情報１２ｃが、再生処理部２４ｃによって車載装置３０から再生された楽曲情報を車両への同乗者の属性情報の組合せおよび楽曲情報の再生中における携帯端末装置２０の位置情報と関連付けて記憶し、車載装置３０が、車両への同乗者の属性情報を取得するとともに、取得した属性情報を携帯端末装置２０へ送信することとした。
【０１３２】
また、携帯端末装置２０の配信要求部２４ｂが、連携部２４ａによって車載装置３０との間で通信リンクが確立した場合に、車載装置３０から複数の属性情報を取得したならば、取得した属性情報の組合せおよび位置情報取得部２３から取得した位置情報を含んだ配信要求を楽曲配信装置１０に対して送信し、楽曲配信装置１０の楽曲選択部１３ａが、携帯端末装置２０から配信要求を受けた場合に、配信要求に含まれる属性情報の組合せおよび位置情報と関連付けられた楽曲情報を選択することとした。
【０１３３】
したがって、ユーザが複数人と乗車している場合に、ユーザ１人だけを考慮した楽曲情報でなく、車両への同乗者も考慮した楽曲情報を配信することができる。
【０１３４】
なお、ここでは、各乗車者の携帯端末装置２０ａ，２０ｂから車載装置３０に対して属性情報を送信する場合について説明したが、これに限ったものではない。たとえば、車載装置３０は、各乗車者に対して属性情報の入力を受け付けるとともに、入力された属性情報を車載装置３０と通信リンクを確立させた携帯端末装置２０へ送信することとしてもよい。これによって、携帯端末装置２０を所持していない乗車者（たとえば、子供）が乗車する場合であっても、適切な組合せ情報を送信することができる。
【０１３５】
次に、楽曲配信装置１０、携帯端末装置２０および車載装置３０の間で実行される処理手順について図１２を用いて説明する。図１２は、楽曲配信装置１０、携帯端末装置２０および車載装置３０の間で実行される処理手順を示すシーケンス図である。
【０１３６】
同図に示したように、携帯端末装置２０では、連携部２４ａが、車載装置３０との間で通信リンクを確立させると（ステップＳ１０１）、配信要求部２４ｂが、位置情報取得部２３によって測位衛星４０から位置情報を取得するとともに（ステップＳ１０２）、住所変換を行う。
【０１３７】
そして、携帯端末装置１０では、配信要求部２４ｂが、ユーザ情報２５ａからユーザＩＤを取り出し、かかるユーザＩＤおよび住所変換後の位置情報を含んだ配信要求を楽曲配信装置１０へ送信する（ステップＳ１０３）。
【０１３８】
つづいて、楽曲配信装置１０では、楽曲選択部１３ａが、携帯端末装置２０から配信要求を受信すると、受信した配信要求に含まれるユーザＩＤを取り出し、取り出したユーザＩＤと関連付けられた属性情報をユーザ情報１２ａを参照して特定する（ステップＳ１０４）。また、楽曲選択部１３ａは、再生履歴情報１２ｃおよびユーザ情報１２ａを参照し、属性情報および位置情報が一致する楽曲情報を選択する（ステップＳ１０５）。
【０１３９】
つづいて、楽曲配信装置１０では、楽曲配信部１３ｂが、楽曲選択部１３ａによって選択された楽曲情報を携帯端末装置２０へ配信する（ステップＳ１０６）。また、携帯端末装置２０では、再生処理部２４ｃが、楽曲配信装置１０から受信した楽曲情報を近距離通信部２２経由で車載装置３０へ送信する（ステップＳ１０７）。そして、車載装置３０では、再生処理部３４ｂが、携帯端末装置２０から受信した楽曲情報を再生する（ステップＳ１０８）。
【０１４０】
一方、携帯端末装置２０では、車載装置３０に対して楽曲情報を再生させると、履歴送信部２４ｄが、位置情報取得部２３から位置情報を取得するとともに（ステップＳ１０９）、取得した位置情報の住所変換を行う。また、履歴送信部２４ｄは、ユーザＩＤ、位置情報および楽曲ＩＤを含んだ再生履歴情報を楽曲配信装置１０に対して送信する（ステップＳ１１０）。
【０１４１】
そして、楽曲配信装置１０では、更新処理部１３ｃが、携帯端末装置２０から再生履歴情報を受信すると、受信した再生履歴情報に基づき、記憶部１２に記憶した再生履歴情報１２ｃを更新して（ステップＳ１１１）、処理を終了する。
【０１４２】
上述してきたように、本実施例では、楽曲配信装置の記憶部が、携帯端末装置のユーザによって再生された楽曲情報をユーザの属性情報および楽曲情報の再生中における携帯端末装置の位置情報と関連付けて再生履歴情報として記憶し、楽曲配信装置の楽曲選択部が、携帯端末装置から楽曲情報の配信要求を受けた場合に、かかる携帯端末装置の位置情報およびかかる携帯端末装置のユーザの属性情報と関連付けられた楽曲情報を記憶部に記憶された楽曲情報の中から選択し、楽曲配信装置の楽曲配信手段が、楽曲選択部によって選択された楽曲情報を携帯端末装置へ配信することとした。
【０１４３】
また、携帯端末装置の配信要求部が、連携部によって車載装置との間で通信リンクが確立した場合に、位置情報取得部によって取得された位置情報を含んだ配信要求を楽曲配信装置へ送信し、携帯端末装置の再生処理部が、楽曲配信装置から配信された楽曲情報を車載装置に対して再生させることとした。したがって、車両で移動中のユーザに対してユーザの所在地域に応じた楽曲を紹介することができる。
【０１４４】
なお、上述してきた実施例では、携帯端末装置が、ユーザＩＤを含んだ配信要求を送信し、楽曲配信装置が、配信要求に含まれるユーザＩＤから属性情報を特定する場合について説明してきたが、これに限ったものではない。
【０１４５】
たとえば、携帯端末装置が、ユーザの属性情報を含んだ配信要求を楽曲配信装置へ送信し、楽曲配信装置が、受信した配信要求に含まれる属性情報からユーザの属性情報を特定することとしてもよい。また、携帯端末装置が、携帯ＩＤを含んだ配信要求を楽曲配信装置へ送信し、楽曲配信装置が、配信要求に含まれる携帯ＩＤから属性情報を特定することとしてもよい。
【０１４６】
また、上述してきた実施例では、再生履歴情報１２ｃとして、ユーザＩＤと位置情報と楽曲ＩＤとを関連付けて記憶することとしたが、その他の情報を再生履歴情報１２ｃへ含めてもよい。たとえば、履歴送信部２４ｄは、車載装置３０から取得した各種の操作情報（たとえば、ＲＰＴ操作や頭出し操作など）をユーザＩＤおよび楽曲ＩＤと関連付けた再生履歴情報を楽曲配信装置１０へ送信することとしてもよい。このようにすれば、各レコード会社は、再生履歴情報１２ｃを参照することで、自社が保有する楽曲の人気度を把握することができる。
【産業上の利用可能性】
【０１４７】
以上のように、本発明に係る楽曲配信システムおよび楽曲配信装置は、車両で移動中のユーザに対してユーザの所在地域に応じた楽曲を紹介したい場合に有用であり、特に、携帯端末装置に対して配信された楽曲情報を車載装置を用いて再生する場合に適している。
【符号の説明】
【０１４８】
１０    楽曲配信装置
１１    通信インタフェース
１２    記憶部
１２ａ  ユーザ情報
１２ｂ  楽曲情報
１２ｃ  再生履歴情報
１２ｄ  学習情報
１３    制御部
１３ａ  楽曲選択部
１３ｂ  楽曲配信部
１３ｃ  更新処理部
１３ｄ  学習部
２０    携帯端末装置
２１    通信インタフェース
２２    近距離通信部
２３    位置情報取得部
２４    制御部
２４ａ  連携部
２４ｂ  配信要求部
２４ｃ  再生処理部
２４ｄ  履歴送信部
２５    記憶部
２５ａ  ユーザ情報
３０    車載装置
３１    近距離通信部
３２    タッチパネルディスプレイ
３２ａ  表示部
３２ｂ  操作部
３３    スピーカ
３４    制御部
３４ａ  連携部
３４ｂ  再生処理部
４０    測位衛星
【図１】
0005604153.tif 000002
【図２】
0005604153.tif 000003
【図３】
0005604153.tif 000004
【図４】
0005604153.tif 000005
【図５】
0005604153.tif 000006
【図６】
0005604153.tif 000007
【図７】
0005604153.tif 000008
【図８】
0005604153.tif 000009
【図９】
0005604153.tif 000010
【図１０】
0005604153.tif 000011
【図１１】
0005604153.tif 000012
【図１２】
0005604153.tif 000013